(57)【要約】【課題】  従来のメニューにおいては、複数人からなるグループで一つのテーブルまたは円卓を囲む場合であっても、一つのメニューをそれぞれの人が見ることができるようにすること。【解決手段】  複数の飲食物の名称と該飲食物の金額とが記載または印刷されたシートからなるメニューであって、前記シートを円形に形成し、その中心部から周縁部に向かって放射状に飲食物の名称と該飲食物の金額とを記載または印刷したメニュー本体シートと、袋部を有する扇形のケースとからなり、前記メニュー本体シートは、不使用時に四つ折りにして扇形に形成し、前記扇形のケースの袋部に収納できるようにしたことにより、複数人からなるグループで一つのテーブルまたは円卓を囲む場合であっても、一つのメニュー本体シートをそれぞれの人が見ることができるようになる。【選択図】図１
0003103893.tif 000002
【実用新案登録請求の範囲】
【請求項１】
複数の飲食物の名称と該飲食物の金額とが記載または印刷されたシートからなるメニューであって、
前記シートを円形に形成し、その中心部から周縁部に向かって放射状に飲食物の名称と該飲食物の金額とを記載または印刷したメニュー本体シートと、袋部を有する扇形のケースとからなり、
前記メニュー本体シートは、不使用時に四つ折りにして扇形に形成し、前記扇形のケースの袋部に収納できるようにしたこと
を特徴とするメニュー。
【請求項２】
前記飲食物の名称は、種類毎に分類された領域表示の基に円周方向にツリー状に表示されていること
を特徴とする請求項１に記載のメニュー。
【請求項３】
前記複数の飲食物は、それぞれ写真で表示し且つ番号が付されていること
を特徴とする請求項１に記載のメニュー。
【請求項４】
前記扇形のケースには、前記メニュー本体シートと共に、扇形に形成して飲食物の名称と該飲食物の金額とを記載または印刷したメニュー補助シートを収納すること
を特徴とする請求項１に記載のメニュー。
【考案の詳細な説明】
【技術分野】
【０００１】
本考案は、例えば、料理、飲料、デザート等の飲食物とその金額とを客に提示するためのメニューに関するものである。
【背景技術】
【０００２】
従来、メニューとしては、本状に形成して見開きするメニューや、所定の台座に立ち上がり状に配設させた板状のメニューが一般的に用いられている。
【０００３】
この所定の台座に立ち上がり状に配設させた板状のメニューとしては、例えば、御影石や大理石等の自然石からなる角柱体の立て台の一面の中央に、細溝の挿入溝を長手に沿って穿設し、挿入溝両側の角部に傾斜状に平面或いは曲面で切り取った切取部を設け、底面と挿入溝を除く全面に本磨きを行ったメニュー立てを用い、該メニュー立てに立ち上がり状に配設させた板状のメニューが公知になっている（特許文献１参照）。
【０００４】
【特許文献１】実用新案登録第３０６０３６９号公報
【考案の開示】
【考案が解決しようとする課題】
【０００５】
しかしながら、前記特許文献１の公知技術または前記本状に形成して見開きするメニューにおいては、該メニューを所持している人以外が見ることは困難であり、例えば、複数人からなるグループで一つのテーブルまたは円卓を囲んだ場合等には、前記メニューを複数用意するまたは該メニューを回覧するようにしなければ、それぞれの人がメニューを見ることができないという問題点を有している。
【０００６】
従って、従来のメニューにおいては、複数人からなるグループで一つのテーブルまたは円卓を囲む場合であっても、一つのメニューをそれぞれの人が見ることができるようにするということに解決しなければならない課題を有している。
【課題を解決するための手段】
【０００７】
上記した従来例の課題を解決する具体的手段として本考案に係るメニューは、複数の飲食物の名称と該飲食物の金額とが記載または印刷されたシートからなるメニューであって、前記シートを円形に形成し、その中心部から周縁部に向かって放射状に飲食物の名称と該飲食物の金額とを記載または印刷したメニュー本体シートと、袋部を有する扇形のケースとからなり、前記メニュー本体シートは、不使用時に四つ折りにして扇形に形成し、前記扇形のケースの袋部に収納できるようにしたことを最も主要な特徴とする。
【０００８】
この考案において、前記飲食物の名称は、種類毎に分類された領域表示の基に円周方向にツリー状に表示されていること；前記複数の飲食物は、それぞれ写真で表示し且つ番号が付されていること；前記扇形のケースには、前記メニュー本体シートと共に、扇形に形成して飲食物の名称と該飲食物の金額とを記載または印刷したメニュー補助シートを収納すること；を付加的な要件として含むものである。
【考案の効果】
【０００９】
本考案に係るメニューは、複数の飲食物の名称と該飲食物の金額とが記載または印刷されたシートからなるメニューであって、前記シートを円形に形成し、その中心部から周縁部に向かって放射状に飲食物の名称と該飲食物の金額とを記載または印刷したメニュー本体シートと、袋部を有する扇形のケースとからなり、前記メニュー本体シートは、不使用時に四つ折りにして扇形に形成し、前記扇形のケースの袋部に収納できるようにしたことにより、複数人からなるグループで一つのテーブルまたは円卓を囲む場合であっても、一つのメニュー本体シートをそれぞれの人が見ることができるようになり、更に、不使用時には、四つ折りにして扇形に小さく折り畳んだ状態で扇形のケースに収納させることができるという優れた効果を奏する。
【考案を実施するための最良の形態】
【００１０】
次に、本考案を具体的な実施の形態に基づいて詳しく説明する。
本考案の実施の形態に係るメニューの略示的な平面図を図１に示す。メニュー１には、円形に形成したシートを使用する。このシートは、例えば、紙材または樹脂材等により形成することができる。
【００１１】
シートには、円形の中心部３から放射状に複数の飲食物の名称４と、該飲食物の金額５とを記載または印刷（以下、印刷等という）してメニュー本体シート２としている。つまり、円形に形成されたメニュー本体シート２の中心部３を中心として、該メニュー本体シート２の中心部３から周縁部に向かって放射状に複数条の飲食物の名称４と該飲食物の金額５とが印刷等されているのである。
【００１２】
このように、メニュー本体シート２を円形に形成し、その中心部３から放射状に飲食物の名称４と該飲食物の金額５とを印刷等することにより、複数人からなるグループで一つのテーブルまたは円卓を囲む場合であっても、一つのメニュー本体シート２をそれぞれの人が見ることができるようになるのである。
【００１３】
更に、複数の飲食物の名称４または該飲食物の金額５の近傍には、その飲食物の内容を容易に理解することができるようにそれぞれの飲食物の名称４に対応する見本の写真６を印刷等して表示しても良く、また、店舗毎に予め設定したその飲食物に付随する番号７を印刷等しても良い。
【００１４】
また、メニュー本体シート２には、飲食物を種類毎に分類し、該分類した飲食物の種類毎に領域で区切って示す領域表示８を設け、該領域表示８に示された種類毎に飲食物の名称４を区分する、即ち、飲食物の種類毎に該飲食物の名称４を区分して示すようにしても良い。
【００１５】
つまり、飲食物の名称４は、飲食物の種類毎に領域で区切られた領域表示８の基に円周方向にツリー状に表示させるのである。この飲食物の種類としては、例えば、肉料理、魚介料理もしくは野菜料理等の料理またはジュース、茶、コーヒーもしくはアルコール等の飲料またはデザート等の種類を挙げることができる。
【００１６】
このように、飲食物の名称４を種類毎に分類された領域表示８の基に円周方向にツリー状に表示することにより、客が飲食物を注文する際に、メニュー１から該飲食物を見つけることが容易になって、注文しやすくなるのである。
【００１７】
円形に形成したメニュー本体シート２は、例えば、注文後等の該メニュー本体シート２の不使用時において、図１の仮想線で示した折り畳み線９ａ、９ｂに沿って、飲食物の名称４と、該飲食物の金額５とが印刷等された面を外側にして四つ折りに折り畳むことにより、図２に示したように、扇形にすることができる。
【００１８】
一方、該扇形に折り畳んだメニュー本体シート２を収納する扇形のケース１０は、例えば、二枚のシートを扇形に形成し、該扇形に形成したシートの直線部を張り合わせ等して封止部を形成し、該扇形の曲線部には、開口部１１を形成して、該開口部１１と前記封止部とで袋部を形成してある。
【００１９】
この扇形のケース１０の開口部１１には、前記四つ折りにして扇形に折り畳んだメニュー本体シート２をスライドさせて収納することができるようになっている。そのため、前記扇形のケース１０は、前記扇形に折り畳んだメニュー本体シート２よりも稍小さく形成してメニュー１の周縁部が見えるようにすることが好ましい。
【００２０】
また、扇形のケース１０の直線部が交差する交差点の近傍には、飾り用の紐１２を設けて、見栄えを良くすることもできる。
【００２１】
なお、メニュー１としては、円形に形成したメニュー本体シート２を用いることが好ましいが、例えば、料理等の主となる飲食物の名称４と、該飲食物の金額５とを円形に形成したメニュー本体シート２に印刷等し、飲料またはデザート等の付随的な飲食物の名称４ａと、該飲食物の金額５ａと、該飲食物の種類毎に分類した領域表示８ａとは、図３に示したような扇形に形成したメニュー補助シート１３に印刷等しても良い。
【図面の簡単な説明】
【００２２】
【図１】本考案の実施の形態に係るメニューを略示的に示した平面図である。
【図２】同メニューを折り畳んで扇形にしたシートと、該扇形にしたシートを収納する扇形のケースとを略示的に示した平面図である。
【図３】同メニューの付随的なメニューとして用いる扇形に形成したメニューを略示的に示した平面図である。
【符号の説明】
【００２３】
１  メニュー
２  メニュー本体シート
３  円形の中心部
４、４ａ  飲食物の名称
５、５ａ  飲食物の金額
６  見本の写真
７  管理番号
８、８ａ  飲食物の種類欄
９ａ、９ｂ  折り畳み線
１０  扇形のケース
１１  開口部（袋部）
１２  飾り用の紐
１３  メニュー補助シート
【図１】
0003103893.tif 000003
【図２】
0003103893.tif 000004
【図３】
0003103893.tif 000005